(57)【要約】【課題】ドア駆動ベルトのテンション低下を検出することが可能なエレベータの診断システムを提供する。【解決手段】  ドアパネルの移動量を検出する加速度センサ１８と、ドアモータ１４の駆動を検出する電流センサ１７を備える。加速度センサ１８及び電流センサ１７の信号に基づいてドアモータ１４の動作開始からドアパネルの動作開始までの時間を測定する動作時間測定手段２２と、加速度センサ１８の信号に基づいてドアパネルの移動量を測定する移動量測定手段２３と、ドアモータ１４の動作開始からドアパネルの動作開始までの基準となる時間、および基準となるドアパネルの移動量とを初期値として格納する初期値格納手段２４とを備える。動作時間測定手段２２、移動量測定手段２３および初期値格納手段２４に格納されたデータに基づいてドア駆動ベルト１６の異常を診断する異常診断手段２５を備える。【選択図】図１
2020138822.tif 000002
【特許請求の範囲】
【請求項１】
エレベータの乗りかごに設置され、対向面が離着するように動作して前記乗りかごの乗降口を開閉するドアパネルと、前記ドアパネルを駆動するドアモータと、前記ドアモータの駆動力を前記ドアパネルに伝達するドア駆動ベルトと、前記エレベータの診断を行う診断装置とを備えたエレベータの診断システムにおいて、
前記ドアパネルに設置され、前記ドアパネルの移動量を検出する加速度センサと、
前記ドアモータに設置され、前記ドアモータの駆動を検出する電流センサと、
前記加速度センサ及び前記電流センサの信号に基づいて前記ドアモータの動作開始から前記ドアパネルの動作開始までの時間を測定する動作時間測定手段と、
前記加速度センサの信号に基づいて前記ドアパネルの移動量を測定する移動量測定手段と、
前記ドアモータの動作開始から前記ドアパネルの動作開始までの基準となる時間、および基準となる前記ドアパネルの移動量とを初期値として格納する初期値格納手段と、
前記動作時間測定手段、前記移動量測定手段および前記初期値格納手段に格納されたデータに基づいて前記ドア駆動ベルトの異常を診断する異常診断手段と、
を備えたことを特徴とするエレベータの診断システム。
【請求項２】
請求項１において、
前記初期値格納手段は、前記動作時間測定手段が初回運転時に測定した時間と、前記移動量測定手段が初回運転時に計測した移動量とを初期値として格納することを特徴とするエレベータの診断システム。
【請求項３】
請求項１または２において、
前記ドア駆動ベルトの異常を検出した時に通報する外部通報手段を備えたことを特徴とするエレベータの診断システム。
【請求項４】
請求項１または２において、
前記診断装置は、
前記動作時間測定手段が測定した時間と、前記初期値格納手段に格納された前記初期値とを比較し、前記初期値からの増加分が、予め設定された閾値以上である場合、前記ドア駆動ベルトのテンション低下と判断することを特徴とするエレベータの診断システム。
【請求項５】
請求項４において、
前記診断装置は、
前記移動量測定手段が測定した前記ドアパネルの移動量と、前記初期値格納手段に格納された初期値を比較し、前記初期値からの減少分が予め設定された閾値未満である場合、前記ドアパネルの開不足と判断することを特徴とするエレベータの診断システム。
【請求項６】
請求項１または２において、
前記加速度センサと前記ドアモータとは、前記ドアパネルの対向面を境としてそれぞれ反対側に取り付けられていることを特徴とするエレベータの診断システム。
【請求項７】
請求項１または２において
前記ドアパネルは、左右方向に開閉する左側ドアパネル及び右側ドアパネルにて構成されていることを特徴とするエレベータの診断システム。
【発明の詳細な説明】
【技術分野】
【０００１】
本発明は、エレベータの診断システムに関する。
【背景技術】
【０００２】
エレベータのドアでは、長時間の使用に伴い、ドアモータベアリングの劣化やドア駆動ベルトのテンションの低下等の異常が発生する。エレベータドアの異常を検知する方法の一つとして、例えば特許文献１に記載の技術が提案されている。特許文献１に記載の技術においては、エレベータのドア開閉動作異常監視装置を設け、ドアモータの駆動タイミングとドアの開閉速度などの制御信号を受信し診断することにより、ドアモータベアリングの劣化や、ドア駆動ベルトのテンションの低下を検知するようにしている。
【先行技術文献】
【特許文献】
【０００３】
【特許文献１】特開２０１２−１９７１４４号公報
【発明の概要】
【発明が解決しようとする課題】
【０００４】
特許文献１に記載の技術においては、ドアモータ駆動タイミングとドア開閉速度を用いてエレベータのドア開閉動作の異常を監視するという一つの手法を提案している。エレベータのドア開閉動作の異常監視は、一つの手法に限らず、製品の種類、設置場所等に応じ様々な手法から適宜選択できるのが好ましい。
【０００５】
本発明の目的は、ドア駆動ベルトのテンション低下を検出することが可能なエレベータの診断システムを提供することにある。
【課題を解決するための手段】
【０００６】
前記目的を達成するために本発明の特徴とするところは、エレベータの乗りかごに設置され、対向面が離着するように動作して前記乗りかごの乗降口を開閉するドアパネルと、前記ドアパネルを駆動するドアモータと、前記ドアモータの駆動力を前記ドアパネルに伝達するドア駆動ベルトと、前記エレベータの診断を行う診断装置とを備えたエレベータの診断システムにおいて、前記ドアパネルに設置され、前記ドアパネルの移動量を検出する加速度センサと、前記ドアモータに設置され、前記ドアモータの駆動を検出する電流センサと、前記加速度センサ及び前記電流センサの信号に基づいて前記ドアモータの動作開始から前記ドアパネルの動作開始までの時間を測定する動作時間測定手段と、前記加速度センサの信号に基づいて前記ドアパネルの移動量を測定する移動量測定手段と、前記ドアモータの動作開始から前記ドアパネルの動作開始までの基準となる時間、および基準となる前記ドアパネルの移動量とを初期値として格納する初期値格納手段と、前記動作時間測定手段、前記移動量測定手段および前記初期値格納手段に格納されたデータに基づいて前記ドア駆動ベルトの異常を診断する異常診断手段と、を備えたことにある。
【発明の効果】
【０００７】
本発明によれば、ドア駆動ベルトのテンション低下を検出することが可能なエレベータの診断システムを提供することができる。
【図面の簡単な説明】
【０００８】
【図１】本発明の実施例に係るエレベータドア開閉装置と診断装置の構成を示した図である。
【図２Ａ】ドア駆動ベルト１６のテンションが適正な状態においてドアが閉じた状態を示す図である。
【図２Ｂ】ドア駆動ベルト１６のテンションが適正な状態においてドアが開いた状態を示す図である。
【図３Ａ】ドア駆動ベルト１６のテンションが低下した状態においてドアが閉じた状態を示す図である。
【図３Ｂ】ドア駆動ベルト１６のテンションが低下した状態においてドアが開いた状態を示す図である。
【図４Ａ】ドア駆動ベルト１６のテンションが低下した状態においてドアが閉じた状態を示す図である。
【図４Ｂ】ドア駆動ベルト１６のテンションが低下した状態においてドアが開いた状態を示す図である。
【図５】ドア駆動ベルト１６のテンション低下の状態と、ドア開閉した際のドアパネルの動作を示す図である。
【図６】本発明の実施例に係る診断装置２０の動作を説明するフローチャートである。
【発明を実施するための形態】
【０００９】
以下、本発明に係るエレベータ異常診断システムの実施例を図面に基づいて説明する。本発明は以下の実施例に限定されることなく、本発明の技術的な概念の中で種々の変形例や応用例もその範囲に含むものである。
【００１０】
図１は、本発明の実施例に係るエレベータドア開閉装置と診断装置の構成を示した図である。まず、エレベータドア開閉装置１０の構成について説明する。本実施例では、一例として左右方向に開閉するドアに適用した例で説明する。
【００１１】
図１において、エレベータドア開閉装置１０には、エレベータの乗りかごに設置され、対向面が離着するように動作して乗りかごの乗降口を開閉するドアパネルが備えられている。本実施例においてドアパネルは、乗りかごの乗降口の左側を覆う左側ドアパネル１１と、乗降口の右側を覆う右側ドアパネル１２で構成されている。さらにエレベータドア開閉装置１０には、左側ドアパネル１１および右側ドアパネル１２の摺動を補助するドアレール１３と、左側ドアパネル１１および右側ドアパネル１２の開閉を行うドアモータ１４と、左側ドアパネル１１および右側ドアパネル１２の開閉動作の補助を行う従動プーリ１５と、ドアモータ１４および従動プーリ１５に掛けられ、左側ドアパネル１１および右側ドアパネル１２が接続されているドア駆動ベルト１６より構成されている。左側ドアパネル１１には、固定部１１ａが備えられ、ドア駆動ベルト１６の下側に位置する部分と接続されている。右側ドアパネル１２には、固定部１２ａが備えられ、ドア駆動ベルト１６の上側に位置する部分と接続されている。
【００１２】
ドアモータ１４および従動プーリ１５に掛けられたドア駆動ベルト１６は、ドアモータ１４が回転すると、上側位置と下側位置とで逆方向に移動する。すなわち、図１においてドア駆動ベルト１６の上側位置が右側向かって移動すると、ドア駆動ベルト１６の下側位置は左側向かって移動する。
【００１３】
図１において、ドアモータ１４が右周りに回転すると、固定部１１ａによってドア駆動ベルト１６の下側に固定された左側ドアパネル１１は左方向に移動し、固定部１２ａによってドア駆動ベルト１６の上側に固定された右側ドアパネル１２は右方向に移動する。これにより、ドアが開放される。
【００１４】
ドアが開放された状態においてドアモータ１４が左周りに回転すると、固定部１１ａによってドア駆動ベルト１６の下側に固定された左側ドアパネル１１は右方向に移動し、固定部１２ａによってドア駆動ベルト１６の上側に固定された右側ドアパネル１２は左方向に移動する。これにより、ドアが閉鎖される。
ドアモータ１４には、ドアモータ１４の駆動を検出するための電流センサ１７が取り付けられている。左側ドアパネル１１には、左側ドアパネル１１の動作開始、移動量を検出するための加速度センサ１８が取り付けられている。
【００１５】
次に診断装置２０の構成について説明する。診断装置２０は、電流センサ１７および加速度センサ１８からの出力信号を受信するＩ／Ｆ手段２１（インターフェイス手段）と、Ｉ／Ｆ手段２１を介して受信した電流センサ１７の信号および加速度センサ１８の信号に基づいて、ドアモータ１４の駆動開始から左側ドアパネル１１の動作開始までの時間を測定する動作時間測定手段２２と、Ｉ／Ｆ手段２１を介して受信した加速度センサ１８の信号に基づいて、左側ドアパネル１１の移動量を測定する移動量測定手段２３と、動作時間測定手段２２および移動量測定手段２３にて測定した値を初期値として格納する初期値格納手段２４と、動作時間測定手段２２および移動量測定手段２３、初期値格納手段２４に格納された初期値に基づいて、ドア駆動ベルト１６のテンション低下の状態を診断する異常診断手段２５と、異常診断手段２５の診断結果に基づいて、図示されない管制センターに対して異常状態を通知する外部通報手段２６より構成されている。
【００１６】
初期値格納手段２４に初期値として格納されるデータは、基準となるデータ（時間、移動量）であるため、ドア駆動ベルト１６に異常が発生していない、例えば初回時にドア開動作を行った時に測定したデータとするのが望ましい。初回時とは、新設時にはドア開閉状態の調整を含むエレベータの乗り心地調整を完了し、監視装置を起動した後の初回運転時、ドア駆動ベルト１６を交換した際にドア開閉状態の調整を完了し、監視装置を再度起動した後の初回運転時を意味するものである。また、初期値としてのデータは、経験値に基づいたデータを予め格納するようにしても良い。
【００１７】
異常診断手段２５は、動作時間測定手段２２、移動量測定手段２３および初期値格納手段２４のデータに基づいてドア駆動ベルト１６の異常を診断するものである。外部通報手段２６は、異常診断手段２５がドア駆動ベルト１６の異常を検出した時に通報する。
【００１８】
加速度センサ１８は、左側ドアパネル１１の開閉方向の動作を検出するよう設置されている。ドアモータ１４は、右側ドアパネル１２側に設置されている。本実施例においては、加速度センサ１８とドアモータ１４とは、ドアパネルの対向面を境としてそれぞれ反対側に取り付けられている。本実施例では、ドアモータ１４に近い側に右側ドアパネル１２を主とし、左側ドアパネル１１を右側ドアパネル１２に追従するように動作させているので、左側ドアパネル１１の時間的遅れ、移動量を検出するためにドアモータ１４がある右側ドアパネル１２と反対側の左側ドアパネル１１に加速度センサ１８を取り付けている。ドアモータ１４が左側ドアパネル１１側に取り付けられた場合には、加速度センサ１８は右側ドアパネル１２側に取り付ける。
【００１９】
診断装置２０は、エレベータの乗りかごに設置される。また、上述した診断装置２０には、中央演算処理装置（CPU：Central Processing Unit）、RAM（Random Access Memory）等の記憶手段が備えられている。本実施例の場合、動作時間測定手段２２、移動量測定手段２３、異常診断手段２５はCPUに備えられており、初期値格納手段２４は記憶手段に備えられている。
【００２０】
次にエレベータドア開閉装置が正常な状態について、図２を用いて説明する。図２Ａは、ドア駆動ベルト１６のテンションが適正な状態においてドアが閉じた状態を示す図である。図２Ｂは、ドア駆動ベルト１６のテンションが適正な状態においてドアが開いた状態を示す図である。
【００２１】
ドア駆動ベルト１６のテンションが適正な状態においてドア開動作を行う場合、まずドアモータ１４がドア開方向（右回り）に回転する。次にドアモータ１４の回転にあわせ、ドア駆動ベルト１６がドア開方向に回転し始め、ドア駆動ベルト１６に接続されている左側ドアパネル１１および右側ドアパネル１２がドア開方向に動作を開始する。
【００２２】
同様に、ドア駆動ベルト１６のテンションが適正な状態においてドア閉動作を行う場合、ドアモータ１４がドア閉方向（左回り）に回転する。次にドアモータ１４の回転にあわせ、ドア駆動ベルト１６がドア閉方向に回転し始め、ドア駆動ベルト１６に接続されている左側ドアパネル１１および右側ドアパネル１２がドア閉方向に動作を開始する。
【００２３】
この時、ドア駆動ベルト１６のテンションが適正であるため、ドアモータ１４の駆動開始と、左側ドアパネル１１の動作開始は同時となる。
【００２４】
図３は、右側ドアパネル１２〜ドアモータ１４〜左側ドアパネル１１間のドア駆動ベルト１６のテンションが低下した状態を示す。図３Ａは、ドア駆動ベルト１６のテンションが低下した状態においてドアが閉じた状態を示す図である。図３Ｂは、ドア駆動ベルト１６のテンションが低下した状態においてドアが開いた状態を示す図である。
【００２５】
ドア駆動ベルト１６のテンションが低下した状態においてドア開動作を行った場合、まずドアモータ１４がドア開方向（右回り）に回転する。次にドアモータ１４の回転にあわせ、ドア駆動ベルト１６がドア開方向に回転し始める。次にドア駆動ベルト１６の回転にあわせて、ドア駆動ベルト１６に接続されている各ドアパネルが動作を開始しようとするが、ドアモータ１４はドア駆動ベルト１６のたるみ分を巻き取り、右側ドアパネル１２〜ドアモータ１４間のテンションが増加後に各ドアパネルが動作を開始する。そのため、ドアモータ１４の駆動開始と、右側ドアパネル１２および右側ドアパネル１２に追従して動く左側ドアパネル１１の動作開始までの時間に遅れが発生する。そのため、ドアモータ１４が運転を開始しドアが開くまでの時間で比較した場合、図３Ａに示すように、ドア駆動ベルト１６のテンションが適正な状態（破線の位置）に比べ、ドア駆動ベルト１６のテンションが低下した状態では遅れが生じる（実線の位置）。
【００２６】
図４は、右側ドアパネル１２〜従動プーリ１５〜左側ドアパネル１１間のドア駆動ベルト１６のテンションが低下した状態を示す。図４Ａは、ドア駆動ベルト１６のテンションが低下した状態においてドアが閉じた状態を示す図である。図４Ｂは、ドア駆動ベルト１６のテンションが低下した状態においてドアが開いた状態を示す図である。
【００２７】
ドア駆動ベルト１６のテンションが低下した状態においてドア開動作を行った場合、まずドアモータ１４がドア開方向（右回り）に回転する。次にドアモータ１４の回転にあわせ、ドア駆動ベルト１６がドア開方向に回転し始める。次にドア駆動ベルト１６の回転にあわせて、ドア駆動ベルト１６に接続されている右側ドアパネル１２が動作を開始する。次に右側ドアパネル１２〜従動プーリ１５〜左側ドアパネル１１間のドア駆動ベルト１６のテンションが増加後、左側ドアパネル１１が動作を開始する。
【００２８】
この時、左側ドアパネル１１のみ動作開始が遅れるため、図４Ｂに示すように、左側ドアパネル１１の移動量は、ドア駆動ベルト１６のテンション適正な状態（破線の位置）と比べて小さくなる（実線の位置）。また、右側ドアパネル１２〜従動プーリ１５〜左側ドアパネル１１間のテンションが増加中も、ドアモータ１４は回転し続けるため、右側ドアパネル１２〜ドアモータ１４〜左側ドアパネル１１間のドア駆動ベルト１６のテンションが低下する。
【００２９】
さらにドア開閉を繰り返すと右側ドアパネル１２〜従動プーリ１５〜左側ドアパネル１１間のたるみ分左側ドアパネル１１はドアモータ１４側に引っ張られるため、左側ドアパネル１１の位置は初期よりもドアモータ１４側に移動し、右側ドアパネル１２〜従動プーリ１５〜左側ドアパネル１１間のテンションは増加する。右側ドアパネル１２〜ドアモータ１４〜左側ドアパネル１１間のテンションがその分低下し、右側ドアパネル１２の位置も初期よりもドアモータ１４側に移動する。
【００３０】
また、右側ドアパネル１２の位置がドアモータ１４側に移動することに伴い、左側ドアパネル１１および右側ドアパネル１２のドア開閉時の移動量は減少する。ドア開閉時の移動量が減少した場合、ドア開時に各ドアパネルが開ききらない状態となるため、利用者はドアパネルを避けてエレベータに乗降する必要があり、利便性の低下を招くものである。
【００３１】
図５は、ドア駆動ベルト１６のテンション低下の状態と、ドア開閉した際のドアパネルの動作を示す図である。
【００３２】
図５において、右側ドアパネル１２の固定部１２ａを基準としてドアモータ１４側においてドア駆動ベルト１６にたるみが発生した場合（図３Ａ）、ドア開動作においては、（１）の通り、右側ドアパネル１２および左側ドアパネル１１の両方に起動遅れが発生する。右側ドアパネル１２および左側ドアパネル１１の移動量は変化しない。ドア閉動作においては、（２）の通り、右側ドアパネル１２および左側ドアパネル１１の両方に起動遅れが発生する。右側ドアパネル１２および左側ドアパネル１１の移動量は変化しない。
【００３３】
次に右側ドアパネル１２の固定部１２ａを基準として従動プーリ１５側においてドア駆動ベルト１６にたるみが発生した場合（図４Ａ）、ドア開動作においては、（３）の通り、初回動作時、左側ドアパネル１１に起動遅れが発生すると共に、左側ドアパネル１１の移動量が減少する。初回動作以降は、右側ドアパネル１２および左側ドアパネル１１の両方に起動遅れが発生すると共に、左側ドアパネル１１の移動量減少が進行する。ドア閉動作においては、（４）の通り、一度ドアが開いた状態ではドアモータ１４側のドア駆動ベルト１６がたるむため、従動プーリ側のドア駆動ベルト１６がたるんだ状態でドア「閉」する現象は発生しない。
【００３４】
次に右側ドアパネル１２の固定部１２ａを基準としてドアモータ１４側および従動プーリ１５側においてドア駆動ベルト１６にたるみが発生した場合、ドア開動作においては、（５）の通り、左側ドアパネル１１および右側ドアパネル１２の両方に起動遅れが発生すると共に、左側ドアパネル１１の移動量が減少する。ドア閉動作においては、（６）の通り、一度ドアが開いた状態ではドアモータ１４側のドア駆動ベルト１６がたるむため、従動プーリ側のドア駆動ベルト１６がたるんだ状態でドア「閉」する現象は発生しない。
【００３５】
上記した現象を捉えるために、本実施例では左側ドアパネル１１に加速度センサ１８を設置し、ドアモータ１４と左側ドアパネル１１の動作開始の時間差と、左側ドアパネル１１の移動量の変化を測定し、ドア駆動ベルト１６のテンション低下を検出する。
【００３６】
本実施例におけるドア駆動ベルト１６のテンション低下検出処理について、図６を用いて説明する。図６は、本発明の実施例に係る診断装置２０の動作を説明するフローチャートである。
【００３７】
まず動作時間測定手段２２は、電流センサ１７の出力信号をＩ／Ｆ手段２１を介して受信し、ドアモータ１４のドア開動作開始を検出する（ステップＳ１０１  Ｙｅｓ）。ドア開開始を検出できない場合は処理を終了する（ステップＳ１０１  Ｎｏ）。
【００３８】
ドアモータ１４のドア開動作を検出した動作時間測定手段２２は、加速度センサ１８の出力信号による左側ドアパネル１１の動作開始を検出するまでの時間（遅れ時間）の測定を行う（ステップＳ１０２）。
【００３９】
加速度センサ１８の出力信号を受信し、左側ドアパネル１１の動作開始を検出した動作時間測定手段２２は遅れ時間の測定を停止し、測定した遅れ時間を初期値格納手段２４および異常診断手段２５に送信する。このとき、初期値格納手段２４は、遅れ時間の初期値が未登録である場合、動作時間測定手段２２より受信した遅れ時間を初期値として登録する（ステップＳ１０３  Ｙｅｓ）。左側ドアパネル１１の動作開始を検出できない場合は、遅れ時間の測定を継続する（ステップＳ１０３  Ｎｏ）。
【００４０】
次に移動量測定手段２３は、加速度センサ１８の出力信号を受信し左側ドアパネル１１の動作開始を検出し（ステップＳ１０３  Ｙｅｓ）、加速度センサ１８の出力信号を使用し左側ドアパネル１１の移動量（ドアパネル移動量）の測定を行う（ステップＳ１０４）。加速度センサ１８の出力信号および電流センサ１７の出力信号より、ドア開動作の終了（ドアパネルの停止）を検出した移動量測定手段２３、ドアパネル移動量の測定を終了し、測定した移動量を初期値格納手段２４および異常診断手段２５に送信する。このとき、初期値格納手段２４はドアパネル移動量の初期値が未登録である場合、移動量測定手段２３より受信したドアパネル移動量を初期値として登録する（ステップＳ１０５  Ｙｅｓ）。ドア開動作の終了を検出できない場合は、ドア移動量の測定を継続する（ステップＳ１０５  Ｎｏ）。
【００４１】
動作時間測定手段２２からの遅れ時間の測定結果を受信した異常診断手段２５は、初期値格納手段２４に格納された遅れ時間の初期値と、最新の測定結果より遅れ時間の増加分を算出し、増加分が予め設定された遅れ時間閾値以上場合、ドア駆動ベルト１６のテンション低下（異常）と判断する（ステップＳ１０６  Ｙｅｓ）。遅れ時間の増加分が遅れ時間閾値未満である場合、ドア駆動ベルト１６のテンションは適正と判断し処理を終了する（ステップＳ１０６  Ｎｏ）。
【００４２】
異常診断手段２５は、移動量測定手段２３より受信した最新のドアパネル移動量と、初期値格納手段２４に格納されたドアパネル移動量の初期値の差を算出し、ドアパネル移動量の減少分が予め設定されたドアパネル移動量閾値未満である場合、ドアパネルが開ききっていない状態（開不足）と判断する（ステップＳ１０７  Ｙｅｓ）。
【００４３】
外部通報手段２６は図示されない管制センターに対して対応要求を発報し、対応要求を受信した管制センターは専門技術者に対して対応を指示する（ステップＳ１０８）。
【００４４】
ドアパネル移動量の減少分が予め設定されたドアパネル移動量閾値以上である場合、各ドアパネルの動作遅れのみが発生していると判断する（ステップＳ１０７  Ｎｏ）。外部通報手段２６は図示されない管制センターに対して次回点検対応要求を発報し、次回点検時対応要求を受信した管制センターは専門技術者に対して対応を指示する（ステップＳ１０９）。
【００４５】
このような処理とすることにより、ドア駆動ベルト１６のテンション低下を検出することができる。また、ドアパネルの移動量を測定することにより、利用者が開ききらないドアパネルを避けてエレベータに乗降するといった利便性の低下を察知し、専門の作業者に対して是正指示を行うことができる。
【００４６】
本実施例によれば、ドア駆動ベルトのテンション低下を検出することが可能なエレベータ診断を提供することができる。
【００４７】
また、本実施例では、診断装置を備えていない既設のエレベータにも設置が可能である。例えば、既設のエレベータの乗りかごの上部に診断装置２０を設置し、電流センサ１７をドアモータ１４に取り付け、加速度センサ１８を左側ドアパネル１１に取り付けることにより、エレベータの診断システムを構築することができる。
【００４８】
なお、本発明は、上述した実施例に限定するものではなく、様々な変形例が含まれる。上述した実施例は本発明を分かり易く説明するために詳細に説明したものであり、必ずしも説明した全ての構成を備えるものに限定するものではない。
【符号の説明】
【００４９】
１０…エレベータドア開閉装置、１１…左側ドアパネル、１２…右側ドアパネル、１３…ドアレール、１４…ドアモータ、１５…従動プーリ、１６…ドア駆動ベルト、１７…電流センサ、１８…加速度センサ、２０…診断装置、２１…Ｉ／Ｆ手段、２２…動作時間測定手段、２３…移動量測定手段、２４…初期値格納手段、２５…異常診断手段、２６…外部通報手段
【図１】
2020138822.tif 000003
【図２Ａ】
2020138822.tif 000004
【図２Ｂ】
2020138822.tif 000005
【図３Ａ】
2020138822.tif 000006
【図３Ｂ】
2020138822.tif 000007
【図４Ａ】
2020138822.tif 000008
【図４Ｂ】
2020138822.tif 000009
【図５】
2020138822.tif 000010
【図６】
2020138822.tif 000011